(57)【要約】【課題】テレビジョン放送信号を録画装置間でダビングするときに簡単な手順でチャプタを自動設定することができ、しかもダビング後のコンテンツを適当な程度の間隔でチャプタに分割する。【解決手段】ハードディスクレコーダと光ディスクレコーダとを備えるテレビジョン放送記録装置において、ダビング時にハードディスクレコーダにＴＳ形式のまま記録されたテレビジョン放送信号を光ディスクレコーダへ記録できるように再エンコードする信号処理部が備えられる。信号処理部は、テレビジョン放送信号に含まれる映像解像度２１、画角情報２２、音声形式情報２３、チャンネル数２４等の管理情報２０が変化するタイミングｔ１〜ｔ６をコンテンツ３０の進行に対応させて検出し、検出した変化タイミングｔ１〜ｔ６に基づいてコンテンツ３０をチャプタに分割するためのアドレス情報を生成し、光ディスクレコーダに記録させるテレビジョン放送信号に付加する。【選択図】図２
2010278783.tif 000002
【特許請求の範囲】
【請求項１】
テレビジョン放送信号をＴＳ(Transport Stream)形式のままで第１の記録媒体に記録する第１の録画装置と、
テレビジョン放送信号をＴＳ形式よりも圧縮された形式で第２の記録媒体に記録する第２の録画装置と、
前記第１の記録媒体に記録されたテレビジョン放送信号を前記第２の記録媒体へダビングするときに、テレビジョン放送信号を圧縮された形式に再エンコードする信号処理手段と、を備えるテレビジョン放送記録装置において、
前記信号処理手段は、再エンコード時に、前記第１の記録媒体に記録されたテレビジョン放送信号に含まれる映像及び音声に関する管理情報が変化するタイミングをテレビジョン放送信号に含まれるコンテンツの進行に対応させて検出する検出手段と、
前記検出手段が検出した変化タイミングに基づいて、前記第２の記録媒体上におけるコンテンツのチャプタ分割のためのアドレス情報を生成し、該アドレス情報を、前記第２の記録媒体へ記録させるテレビジョン放送信号に加えるチャプタ情報付与手段と、を備えることを特徴とするテレビジョン放送記録装置。
【請求項２】
前記検出手段は、前記管理情報のうち少なくとも、音声の形式情報と音声のチャンネル数情報の変化するタイミングを検出することを特徴とする請求項１に記載のテレビジョン放送記録装置。
【請求項３】
前記検出手段は、変化タイミングを検出するために参照する管理情報の種類がユーザの操作により変更可能であることを特徴とする請求項１又は請求項２に記載のテレビジョン放送記録装置。
【請求項４】
前記第１の録画装置がハードディスクレコーダであり、第２の録画装置が光ディスクレコーダである請求項１乃至請求項３のいずれか一項に記載のテレビジョン放送記録装置。
【発明の詳細な説明】
【技術分野】
【０００１】
本発明は、テレビジョン放送記録装置に関する。
【背景技術】
【０００２】
従来から、ビデオカメラに記録されたテレビジョン放送等のコンテンツを、該ビデオカメラに接続されたハードディスクレコーダにダビングするときに、コンテンツの特徴量を解析し、解析結果に基づいてチャプタを自動的に設定する記録再生装置が知られている（例えば、特許文献１参照）。特許文献１に記載の記録再生装置では、コンテンツのストリームを解析することにより音量、音量の平均、輝度値等の１次的特徴量を抽出し、それに基づいてシーンチェンジの位置、盛り上がり度等の２次的特徴量を求める。そして、２次的特徴量に基づいてハードディスクレコーダに記録されるコンテンツにチャプタが設定される。
【０００３】
また、ユーザがビデオカメラにより複数回に分けて録画した映像を、ハードディスクレコーダにダビング記録し、ユーザは該ハードディスクレコーダに記録された映像の不要部分を削除する等の編集作業を行える記録再生装置が知られている（例えば、特許文献２参照）。特許文献２に記載の記録再生装置では、ハードディスクレコーダに備えられた変化点検出部が、ビデオカメラから入力される映像に含まれる映像の中断部分としてのブルーバックやホワイトノイズをビットレートの変化に基づいて検出し、その変化点に対応する映像開始点の情報をハードディスクに記録するインデックスファイルにチャプタ情報として付加するようになっている。これによってユーザは映像の編集作業に際してインデックスファイルに付加されたチャプタ情報を参照してブルーバック等の映像中断部分を容易に頭出しして削除することができる。
【先行技術文献】
【特許文献】
【０００４】
【特許文献１】特開２００８−１４７９４９号公報
【特許文献２】特開２００７−２０８８７４号公報
【発明の概要】
【発明が解決しようとする課題】
【０００５】
上記特許文献１に記載の記録再生装置では、コンテンツのシーンチェンジの位置、盛り上がり度等の特徴に基づいてチャプタが設定されるので、ユーザがチャプタ毎の最初の画面をサムネイル形式で表示させて所望する場面をより容易に検索することができる。ところが、チャプタを設定するための手順が複雑であり、その分だけ記録再生装置が高価になる上に、例えばシーンチェンジの判定を行うためには３〜５分程度のまとまった長さのストリームの解析が必要であることから停電が発生したときには、復電後にダビングを最初からやり直さなければならない等の不具合がある。特許文献１の装置では、上記不具合が生じないように特徴量の解析が終了した位置を示すしおりと、得られた特徴量を表すスナップショットとを一定時間毎に自動生成するようになっているが、その分だけさらに処理手順が複雑になっている。
【０００６】
上記特許文献２に記載の記録再生装置は、ビデオカメラから入力される映像信号のビットレートを検出するだけであるので、チャプタを自動付与するための手順は比較的簡単であるが、ビデオカメラに録画された元の映像の中断部分の検索が容易になるだけであり、コンテンツ内の詳細な検索はできない。仮にユーザが一連のコンテンツ内にチャプタを付与しようとすれば、予めビデオカメラでの撮影時に意図的に録画中断個所を作らなければならない。
【０００７】
そこで、本発明は、上記課題を解決するものであり、第１の録画装置から第２の録画装置へダビングするときの、チャプタを自動設定するための手順が簡単であって装置の製造コストの上昇を招くことがなく、しかもダビング後のコンテンツが適当な数のチャプタに分割され、ユーザが希望する個所を容易に見つけ出すことができるテレビジョン放送記録装置を提供することを目的とする。
【課題を解決するための手段】
【０００８】
上記課題を解決するために、請求項１の発明は、テレビジョン放送信号をＴＳ(Transport Stream)形式のままで第１の記録媒体に記録する第１の録画装置と、テレビジョン放送信号をＴＳ形式よりも圧縮された形式で第２の記録媒体に記録する第２の録画装置と、前記第１の記録媒体に記録されたテレビジョン放送信号を前記第２の記録媒体へダビングするときに、テレビジョン放送信号を圧縮された形式に再エンコードする信号処理手段と、を備えるテレビジョン放送記録装置において、前記信号処理手段は、再エンコード時に、前記第１の記録媒体に記録されたテレビジョン放送信号に含まれる映像及び音声に関する管理情報が変化するタイミングをテレビジョン放送信号に含まれるコンテンツの進行に対応させて検出する検出手段と、前記検出手段が検出した変化タイミングに基づいて、前記第２の記録媒体上におけるコンテンツのチャプタ分割のためのアドレス情報を生成し、該アドレス情報を、前記第２の記録媒体へ記録させるテレビジョン放送信号に加えるチャプタ情報付与手段と、を備えることを特徴とする。
【０００９】
請求項２の発明は、請求項１の発明において、前記検出手段は、前記管理情報のうち少なくとも、音声の形式情報と音声のチャンネル数情報の変化するタイミングを検出することを特徴とする。
【００１０】
請求項３の発明は、請求項１又は請求項２の発明において、前記検出手段は、変化タイミングを検出するために参照する管理情報の種類がユーザの操作により変更可能であることを特徴とする。
【００１１】
請求項４の発明は、請求項１乃至請求項３のいずれか一項の発明において、前記第１の録画装置がハードディスクレコーダであり、第２の録画装置が光ディスクレコーダであることを特徴とする。
【発明の効果】
【００１２】
請求項１の発明によれば、信号処理手段が、テレビジョン放送信号の再エンコード時に、テレビジョン放送信号に含まれる管理情報が変化するタイミングをコンテンツの進行に対応させて検出し、検出した変化タイミングに基づいて生成したチャプタ分割のためのアドレス情報をテレビジョン放送信号に加えるので、チャプタに分割するための手順が簡単であり装置の製造コストの上昇を招くことがなく、しかもダビング後のコンテンツが適当な数のチャプタに分割され、ユーザが希望する個所を容易に見つけ出すことができる。
【００１３】
請求項２の発明によれば、信号処理手段が、管理情報のうち少なくとも、音声の形式情報と音声のチャンネル数情報の変化するタイミングに基づいてチャプタ分割を行うので、ダビング後のコンテンツがコマーシャル挿入タイミング等のユーザにとって区切りを認識し易い個所でチャプタに分割される。
【００１４】
請求項３の発明によれば、変化タイミングを検出するために参照する管理情報の種類が変更可能であるので、コンテンツのチャプタに分割される細かさの程度を変更することができ、ユーザにとって便利である。
【図面の簡単な説明】
【００１５】
【図１】本発明の一実施形態に係るテレビジョン放送記録装置のブロック図。
【図２】同テレビジョン放送記録装置におけるテレビジョン放送信号の管理情報の変化態様と、それに基づいて生成されるチャプタ分割の位置を示す図。
【図３】同テレビジョン放送記録装置における信号処理部のチャプタ付与手順のフローチャート。
【図４】同テレビジョン放送記録装置において生成されるチャプタ分割のためのアドレス情報を示す図。
【発明を実施するための形態】
【００１６】
以下、本発明の一実施形態に係るテレビジョン放送記録装置について、図１乃至図４を参照して説明する。本実施形態のテレビジョン放送記録装置１は、図１に示されるように、テレビジョン放送信号を受信する受信部２と、受信部２が受信したテレビジョン放送信号をＴＳ(Transport Stream)形式のままで内蔵するハードディスク３（第１の記録媒体）に記録するハードディスクレコーダ４（第１の録画装置）と、テレビジョン放送信号をＴＳ形式よりも圧縮された形式で光ディスク５（第２の記録媒体）に記録する光ディスクレコーダ６（第２の録画装置）と、ハードディスク３に記録されたテレビジョン放送信号を光ディスク５へダビングするときに、テレビジョン放送信号を圧縮された形式に再エンコードする信号処理部７（信号処理手段）と、を備える。光ディスク５はＤＶＤ（Digital Versatile Disc）であり、光ディスクレコーダ６に対して取り出し可能に挿入される。受信部２はディジタルチューナからなりＴＳ形式のテレビジョン放送信号を受信する。
【００１７】
また、テレビジョン放送記録装置１は、ハードディスクレコーダ４、光ディスクレコーダ６、及び信号処理部７の動作を統括して制御するマイクロプロセッサ８を備える。マイクロプロセッサ８は、赤外線受光部９を介して受信するリモコン１１からの指令信号に応じて本テレビジョン放送記録装置１に録画、再生、ダビング等の各種動作を行わせる。
【００１８】
上記テレビジョン放送記録装置１の外部にはテレビジョン受像機からなるモニタ装置１２が接続され、ユーザがテレビジョン放送を録画せずに直接視聴するためにリモコン１１を操作したときには、受信部２により受信されたテレビジョン放送信号が信号処理部７を介してモニタ装置１２に映像及び音声として出力される。また、モニタ装置１２には、ユーザがリモコン１１を操作してダビングを指示したときに、マイクロプロセッサ８が信号処理部７を動作させて図１に示される操作選択画面１２ａを表示するようになっている。
【００１９】
信号処理部７は、ユーザがリモコン１１を操作して録画を指示したときに受信部２から入力されたテレビジョン放送信号をそのままハードディスクレコーダ４へ出力してＴＳ形式のままハードディスク３へ記録させる。また、信号処理部７は、ＭＰＥＧエンコーダ７１ａ及びＭＰＥＧデコーダ７１ｂからなる圧縮・伸長器７１を備え、ユーザがダビングを指示したときに、ハードディスク３から読み出したテレビジョン放送信号を、ＭＰＥＧエンコーダ７１ａによってＤＶＤ５に記録できるように再エンコードさせる。具体的には、例えば、ＭＰＥＧエンコーダ７１ａは、ＴＳ形式のテレビジョン放送信号をＰＳ(Program Stream)形式に再エンコードする。
【００２０】
さらに、信号処理部７は、上記再エンコードを実行するときに、ハードディスク３に記録されたテレビジョン放送信号に含まれる映像及び音声に関する管理情報が変化するタイミングをテレビジョン放送信号に含まれるコンテンツの進行に対応させて検出する検出部７２（検出手段）と、検出した変化タイミングに基づいてＤＶＤ５におけるチャプタ分割のためのアドレス情報を生成し、このアドレス情報をＤＶＤ５に記録させるテレビジョン放送信号に加えるチャプタ情報付与部７３（チャプタ情報付与手段）と、を備える。信号処理部７が実行するチャプタ情報の付与動作については後述する。
【００２１】
また、信号処理部７は、ユーザがリモコン１１を操作して録画されたテレビジョン放送の再生を指示したときには、ハードディスク３又はＤＶＤ５に記録されたテレビジョン放送信号をＭＰＥＧデコーダ７１ｂによって伸長させてモニタ装置１２へ映像及び音声として出力する。
【００２２】
次に、ユーザがハードディスク３からＤＶＤ５へのテレビジョン放送信号のダビングを指示したときの、本テレビジョン放送記録装置１の動作について、図１乃至図４を参照して説明する。ここでは、ユーザが、図１に示されるように、モニタ装置１２に操作選択画面１２ａが表示されたとき、リモコン１１の十字キー１１ａや決定キー１１ｂを操作してカーソル１２ｂを移動させチャプタの自動設定の「必要」を選択し、分割の程度の「普通」を選択した場合について説明する。ユーザがチャプタの自動設定の「不要」を選択したときには、信号処理部７は、ＭＰＥＧエンコーダ７１ａによる再エンコード動作だけを行い、チャプタ情報の付与動作を行わない。
【００２３】
いま、分割の程度として「普通」が選択された場合、本テレビジョン放送記録装置１の信号処理部７が参照する管理情報２０は、図２に示すように、映像解像度２１、映像の画角情報（アスペクト比）２２、音声形式情報２３、音声のチャンネル数２４、番組情報２５、及びレーティング２６の６種類であり、テレビジョン放送信号に含まれるコンテンツ３０の進行（時間経過）に対応させて図２のように表すことができる。なお、映像解像度２１と画角情報２２はＴＳパケットのビデオシーケンスヘッダに含まれ、音声形式情報２３と音声チャンネル数２４はＴＳパケットの音声ヘッダに含まれ、番組情報２５はＥＩＴ(Event Information Table)に含まれる。
【００２４】
信号処理部７は、図３に示されるように、再エンコード動作に並行して検出部７２を動作させて、各管理情報２０の変化するタイミングをコンテンツの進行に対応させて検出する（Ｓ１）。例えば、図２に示されるように、映像解像度２１は、コンテンツ３０がコマーシャルから番組１に切替るタイミングｔ１においてＳＤ(Standard Definition)からＨＤ(High Definition)に変化し、番組１中に挿入されるコマーシャルの前後ｔ２、ｔ３において、それぞれＳＤ、ＨＤに変化し、番組２が始まるタイミングｔ５においてＨＤからＳＤへと変化する。信号処理部７は、それらのタイミングｔ１、ｔ２、ｔ３、ｔ５を検出する。
【００２５】
同様にして、信号処理部７は、画角情報２２が４／３から１６／９に変化するタイミングｔ１を検出し、音声形式情報２３がモノラル、ステレオ、音声多重の間で変化するタイミングｔ１、ｔ５、ｔ６を検出し、音声のチャンネル数が１．０チャンネル、２．０チャンネル、５．１チャンネルの間で変化するタイミングｔ１、ｔ２、ｔ３、ｔ４、ｔ５、ｔ６を検出し、番組情報が変化するタイミングｔ４、ｔ６を検出し、レーティングが変化するタイミングｔ６を検出する。信号処理部７は、検出したタイミングのうち同一のものについて統合し、最終的に６つのタイミングｔ１〜ｔ６を管理情報が変化するタイミングとする。
【００２６】
次に、信号処理部７は、検出した変化タイミングｔ１〜ｔ６に基づいて、ＤＶＤ５上におけるコンテンツのチャプタ分割のためのアドレス情報をチャプタ情報付与部７３により生成する（図３のＳ２）。具体的には、信号処理部７は、図２の最下段に示されるように、各タイミングｔ１〜ｔ６に対応する位置においてコンテンツを７つのチャプタに分割し、各チャプタのＤＶＤ５上における先頭アドレス１ａｄ〜７ａｄを生成する。信号処理部７が生成する各チャプタの先頭アドレスのリスト１３の例を図４に示す。そして、信号処理部７は、生成したアドレス情報（アドレスリスト）を、ＤＶＤ５へ記録させる再エンコードされたテレビジョン放送信号にファイルとして付加する（Ｓ３）。
【００２７】
上記ダビング動作によりＤＶＤ５に記録されたテレビジョン放送信号には、各チャプタの先頭アドレス情報が付加されているので、ユーザがＤＶＤ５を再生するときに、リモコン１１を操作してチャプタ毎の最初の画像をサムネイル形式でモニタ装置１２に表示させることができ、ユーザはコンテンツの希望する個所を容易に見つけ出すことができる。
【００２８】
特に音声形式情報２３と音声のチャンネル数２４は、番組中のコマーシャルが挿入された前後等において高い頻度で変化するので、信号処理部７が両情報２３、２４の変化タイミングを検出することによってコンテンツ３０をユーザにとって区切りの認識し易い個所でチャプタに分割でき、チャプタの分割の程度も適当なもの（例えば、１０〜１５分間隔）になる。
【００２９】
また、ユーザが分割の程度として「粗く」を選択した場合には、信号処理部７が参照する管理情報の種類が少なくなり、その分だけチャプタの分割の数が減少し、各チャプタの最初の画面をサムネイル形式で表示させたときの画面数が少なくなって使い勝手を改善させることができる。
【００３０】
具体的には、例えば、信号処理部７が図３のＳ１において参照する管理情報２０が、映像解像度２１とレーティング２６の２種類である場合には、信号処理部７が検出する変化タイミングはｔ１、ｔ２、ｔ３、ｔ５、ｔ６の５つになり、コンテンツ３０の分割数は６に減少される。これは長いコンテンツ３０を１回の操作でダビングする場合に、チャプタの分割数が多数（数十以上）になることが予想される場合に有効である。
【００３１】
さらに、ユーザがダビングを指示するときに、ユーザに分割の程度を選択させるのではなく、モニタ装置１２の画面に管理情報２０を「映像解像度、画角情報、・・」というように具体的に表示し、信号処理部７が参照する管理情報２０をユーザに個別に選択させるようにしてもよい。この場合には、コンテンツ３０の分割の程度を大きく変化させることができ、ユーザにとって一層便利なものになる。
【００３２】
なお、信号処理部７は、上記６種類に加えて他の管理情報（例えば、フレームレート、ビットレート、サンプリングレート等）の変化タイミングを検出するようにしてもよい。
【符号の説明】
【００３３】
１  テレビジョン放送記録装置
３  ハードディスク（第１の記録媒体）
４  ハードディスクレコーダ（第１の録画装置）
５  ＤＶＤ（第２の記録媒体）
６  光ディスクレコーダ（第２の録画装置）
７  信号処理部（信号処理手段）
２０  管理情報
２３  音声の形式情報
２４  音声のチャンネル数情報
３０  コンテンツ
７２  検出部（検出手段）
７３  チャプタ情報付与部（チャプタ情報付与手段）
ｔ１〜ｔ６  変化タイミング
【図１】
2010278783.tif 000003
【図２】
2010278783.tif 000004
【図３】
2010278783.tif 000005
【図４】
2010278783.tif 000006